(57)【特許請求の範囲】
【請求項１】
シートが設けられる台枠と、
床面に固定される脚台と、
前記台枠を回転可能に支持すると共に、前記脚台上で、壁側の第１位置，前記第１位置より通路側で、前記台枠上のシートが前記壁に干渉せずに回転できる第２位置の間をスライド可能に設けられたスライドプレートと、
を有する横スライド回転シートにおいて、
少なくとも前記スライドプレートが前記第２位置に位置しない時、前記台枠の回転を禁止する回転ストッパ機構を設け、
前記回転ストッパ機構は、第１の回転ストッパ機構を備え、
前記第１の回転ストッパ機構は、
前記脚台に形成され、前記スライドプレートのスライド方向に沿ったストッパ面と、
前記台枠に前記スライドプレートのスライド方向に沿って設けられ、前記ストッパ面に当接可能な第１当接部、第２当接部からなり、
前記第１当接部、第２当接部は、
前記スライドプレートが前記第２位置以外の場所に位置する時、前記ストッパ面に当接し、前記台枠の回転を禁止し、
前記スライドプレートが、前記第２位置に位置する時、前記第２当接部が前記ストッパ面から外れ、前記台枠の回転を許可するように設けられたことを特徴とする横スライド回転シート。
【請求項２】
前記回転ストッパ機構は、回転ロック機構を備え、
前記回転ロック機構は、
前記台枠、前記スライドプレートのうちの一方に設けられ、前記スライドプレートのスライド方向に延びる長穴と、
前記台枠、前記スライドプレートのうち他方に設けられ、前記長穴に係脱可能なピンと、
を有し、
前記ピンが前記長穴に係合することにより、前記台枠の回転を禁止することを特徴とする請求項１記載の横スライド回転シート。
【請求項３】
前記脚台、前記スライドプレートのうちの一方に設けられた第１スライドロック穴,第２スライドロック穴と、
前記脚台、前記スライドプレートのうちの他方に設けられ、前記スライドプレートが第１位置に位置する時は前記第１スライドロック穴に、前記スライドプレートが第２位置に位置する時は前記第２スライドロック穴にそれぞれ係脱可能なピンと、
を有し、
前記スライドプレートが、前記第１位置、第２位置に位置する時、前記ピンが前記第１スライドロック穴、前記第２スライドロック穴に係合し、前記スライドプレートのスライドを禁止するスライドロック機構を設けたことを特徴とする請求項１または２記載の横スライド回転シート。
【請求項４】
シートが設けられる台枠と、
床面に固定される脚台と、
前記台枠を回転可能に支持すると共に、前記脚台上で、壁側の第１位置，前記第１位置より通路側で、前記台枠上のシートが前記壁に干渉せずに回転できる第２位置の間をスライド可能に設けられたスライドプレートと、
を有する横スライド回転シートにおいて、
少なくとも前記スライドプレートが前記第２位置に位置しない時、前記台枠の回転を禁止する回転ストッパ機構を設け、
前記回転ストッパ機構は、第２の回転ストッパ機構を備え、
前記第２の回転ストッパ機構は、
前記脚台、前記台枠のうちの一方に設けられ、前記台枠の回転軸を通り、前記スライドプレートの移動方向と平行な直線を挟んで線対称な位置に設けられ、前記台枠の回転面とそれぞれ直交する第１平面部、第２平面部、前記第１平面部の前記第２位置側の端部,前記第２平面部の前記第２位置側の端部を結ぶ半円筒面部からなるＵ字形の偏心ガイドプレートと、
前記脚台、前記台枠のうちの他方に設けられ、前記偏心プレートに当接するスライダと、
からなり、
前記偏心ガイドプレートは、前記スライドプレートが第１位置から前記第２位置にスライドすると、前記スライダは第１平面部または第２平面部から半円筒面部に乗り移るように設けられていることを特徴とする横スライド回転シート。
【請求項５】
シートが設けられる台枠と、
床面に固定される脚台と、
前記台枠を回転可能に支持すると共に、前記脚台上で、壁側の第１位置，前記第１位置より通路側で、前記台枠上のシートが前記壁に干渉せずに回転できる第２位置の間をスライド可能に設けられたスライドプレートと、
を有する横スライド回転シートにおいて、
少なくとも前記スライドプレートが前記第２位置に位置しない時、前記台枠の回転を禁止する回転ストッパ機構を設け、
前記回転ストッパ機構は、第３の回転ストッパ機構を備え、
前記第３の回転ストッパ機構は、
前記脚台、前記台枠のうちの一方に設けられたスライド回転ロック穴と、
前記脚台、前記台枠のうちの他方に設けられ、前記スライド回転ロック穴に係脱可能なロックピンと、
前記台枠に、前記ロックピンを挟むように設けられ、前記スライドプレートが第２位置に位置すると、前記ロックピンは、長手方向の中心に位置するように設けられた平行な２枚の偏心ガイドプレートとを有し、
前記ロックピンは、
前記スライドプレートが第２位置に位置する時の、台枠の回転中心軸と一致するように配置され、
前記スライドプレートが第１位置に位置する時に、前記スライド回転ロック穴と前記ロックピンとが係合し、前記スライドプレートのスライド、前記台枠の回転を禁止し、
前記スライドプレートが前記第２位置に位置すると、前記ロックピンが前記偏心ガイドプレートの長手方向の中心に位置し、前記台枠の回転を許可することを特徴とする横スライド回転シート。
【発明の詳細な説明】
【技術分野】
【０００１】
本発明は、シートが設けられる台枠と、床面に固定される脚台と、該脚台上で、壁側と通路側との間をスライド可能に設けられ、前記台枠を回転可能に支持するスライドプレートとを有する横スライド回転シートに関する。
【背景技術】
【０００２】
車両に設けられるシートのうち、例えば、向きを車両進行方向に対して前向き姿勢から後ろ向き姿勢に変更可能な回転シートがある。
通路の幅を確保するために、通常シートは壁側に寄せて配置される。しかし、シートを壁側に寄せて配置すると、回転する際に、シートが壁に干渉する場合がある。そこで、回転する場合には、壁に干渉しない位置までシートを通路側に横スライドさせる横スライド回転シートが提案されている（例えば、特許文献１参照）。
【先行技術文献】
【特許文献】
【０００３】
【特許文献１】特開２００２−３６９２１号公報
【発明の概要】
【発明が解決しようとする課題】
【０００４】
しかし、特許文献１に記載された横スライド回転シートは、シートが横スライドのどの位置にあっても、回転をロックする機構をロック解除すれば、シートを回転できるようになっている。
【０００５】
このため、通路側にスライドさせずにシートを回転すると、壁に干渉する。このような場合、シートを通路側にスライドさせ、再度、シートの回転を行うこととなり、操作性が悪い問題点がある。
【０００６】
本発明は、上記問題点に鑑みてなされたもので、その課題は、操作性がよい横スライド回転シートを提供することにある。
【課題を解決するための手段】
【０００７】
上記課題を解決する請求項１に係る発明は、シートが設けられる台枠と、床面に固定される脚台と、前記台枠を回転可能に支持すると共に、前記脚台上で、壁側の第１位置，前記第１位置より通路側で、前記台枠上のシートが前記壁に干渉せずに回転できる第２位置の間をスライド可能に設けられたスライドプレートと、を有する横スライド回転シートにおいて、少なくとも前記スライドプレートが前記第２位置に位置しない時、前記台枠の回転を禁止する回転ストッパ機構を設け、前記回転ストッパ機構は、第１の回転ストッパ機構を備え、前記第１の回転ストッパ機構は、前記脚台に形成され、前記スライドプレートのスライド方向に沿ったストッパ面と、前記台枠に前記スライドプレートのスライド方向に沿って設けられ、前記ストッパ面に当接可能な第１当接部、第２当接部からなり、前記第１当接部、第２当接部は、前記スライドプレートが前記第２位置以外の場所に位置する時、前記ストッパ面に当接し、前記台枠の回転を禁止し、前記スライドプレートが、前記第２位置に位置する時、前記第２当接部が前記ストッパ面から外れ、前記台枠の回転を許可するように設けられたことを特徴とする横スライド回転シートである。
【０００９】
請求項２に係る発明は、前記回転ストッパ機構は、回転ロック機構を備え、前記回転ロック機構は、前記台枠、前記スライドプレートのうちの一方に設けられ、前記スライドプレートのスライド方向に延びる長穴と、前記台枠、前記スライドプレートのうち他方に設けられ、前記長穴に係脱可能なピンと、を有し、前記ピンが前記長穴に係合することにより、前記台枠の回転を禁止することを特徴とする請求項１記載の横スライド回転シートである。
【００１０】
請求項３に係る発明は、前記脚台、前記スライドプレートのうちの一方に設けられた第１スライドロック穴,第２スライドロック穴と、前記脚台、前記スライドプレートのうちの他方に設けられ、前記スライドプレートが第１位置に位置する時は前記第１スライドロック穴に、前記スライドプレートが第２位置に位置する時は前記第２スライドロック穴にそれぞれ係脱可能なピンと、を有し、前記スライドプレートが、前記第１位置、第２位置に位置する時、前記ピンが前記第１スライドロック穴、前記第２スライドロック穴に係合し、前記スライドプレートのスライドを禁止するスライドロック機構を設けたことを特徴とする請求項１または２記載の横スライド回転シートである。
【００１１】
請求項４に係る発明は、シートが設けられる台枠と、床面に固定される脚台と、前記台枠を回転可能に支持すると共に、前記脚台上で、壁側の第１位置，前記第１位置より通路側で、前記台枠上のシートが前記壁に干渉せずに回転できる第２位置の間をスライド可能に設けられたスライドプレートと、を有する横スライド回転シートにおいて、少なくとも前記スライドプレートが前記第２位置に位置しない時、前記台枠の回転を禁止する回転ストッパ機構を設け、前記回転ストッパ機構は、第２の回転ストッパ機構を備え、前記第２の回転ストッパ機構は、前記脚台、前記台枠のうちの一方に設けられ、前記台枠の回転軸を通り、前記スライドプレートの移動方向と平行な直線を挟んで線対称な位置に設けられ、前記台枠の回転面とそれぞれ直交する第１平面部、第２平面部、前記第１平面部の前記第２位置側の端部,前記第２平面部の前記第２位置側の端部を結ぶ半円筒面部からなるＵ字形の偏心ガイドプレートと、前記脚台、前記台枠のうちの他方に設けられ、前記偏心プレートに当接するスライダと、からなり、前記偏心ガイドプレートは、前記スライドプレートが第１位置から前記第２位置にスライドすると、前記スライダは第１平面部または第２平面部から半円筒面部に乗り移るように設けられていることを特徴とする横スライド回転シートである。
【００１２】
請求項５に係る発明は、シートが設けられる台枠と、床面に固定される脚台と、前記台枠を回転可能に支持すると共に、前記脚台上で、壁側の第１位置，前記第１位置より通路側で、前記台枠上のシートが前記壁に干渉せずに回転できる第２位置の間をスライド可能に設けられたスライドプレートと、を有する横スライド回転シートにおいて、少なくとも前記スライドプレートが前記第２位置に位置しない時、前記台枠の回転を禁止する回転ストッパ機構を設け、前記回転ストッパ機構は、第３の回転ストッパ機構を備え、前記第３の回転ストッパ機構は、前記脚台、前記台枠のうちの一方に設けられたスライド回転ロック穴と、前記脚台、前記台枠のうちの他方に設けられ、前記スライド回転ロック穴に係脱可能なロックピンと、前記台枠に、前記ロックピンを挟むように設けられ、前記スライドプレートが第２位置に位置すると、前記ロックピンは、長手方向の中心に位置するように設けられた平行な２枚の偏心ガイドプレートとを有し、前記ロックピンは、前記スライドプレートが第２位置に位置する時の、台枠の回転中心軸と一致するように配置され、前記スライドプレートが第１位置に位置する時に、前記スライド回転ロック穴と前記ロックピンとが係合し、前記スライドプレートのスライド、前記台枠の回転を禁止し、前記スライドプレートが前記第２位置に位置すると、前記ロックピンが前記偏心ガイドプレートの長手方向の中心に位置し、前記台枠の回転を許可することを特徴とする横スライド回転シートである。
【発明の効果】
【００１３】
請求項１−５に係る発明によれば、前記スライドプレートが前記第２位置に位置しないと、前記台枠の回転を禁止する回転ストッパ機構を設けたことにより、壁に干渉せずに台枠及びシートを回転させることができ、操作性がよい。
【図面の簡単な説明】
【００１４】
【図１】第１実施形態の横スライド回転シートのシートと台枠を取り除いた平面図である。
【図２】図１の切断線Ａ−Ａでの断面図である。
【図３】台枠の平面図である。
【図４】図１の切断線Ｂ−Ｂでの断面図である。
【図５】図１の切断線Ｃ−Ｃでの断面図である。
【図６】第２実施形態の横スライド回転シートのシートと台枠を取り除いた平面図である。
【図７】図６の切断線Ｄ−Ｄでの断面図である。
【図８】台枠の平面図である。
【図９】図１の切断線Ｅ−Ｅでの断面図である。
【図１０】図６の第２回転ストッパ機構を説明する図である。
【図１１】第３実施形態の横スライド回転シートのシートと台枠を取り除いた平面図である。
【図１２】図１１の切断線Ｆ−Ｆでの断面図である。
【図１３】台枠の平面図である。
【図１４】図１の切断線Ｇ−Ｇでの断面図である。
【発明を実施するための形態】
【００１５】
＜第１実施形態＞
図１−図５を用いて説明する。図１は第１実施形態の横スライド回転シートのシートと台枠を取り除いた平面図、図２は図１の切断線Ａ−Ａでの断面図、図３は台枠の平面図、図４は図１の切断線Ｂ−Ｂでの断面図、図５は図１の切断線Ｃ−Ｃでの断面図である。
【００１６】
尚、本実施形態は、通常は通路側に位置し、シートの回転は通路側で行い、通路幅より広い車いすが通路を通る際に、壁側に横スライドし、車いすとの干渉を防ぐ横スライド回転シートである。
【００１７】
図１、図２、図３に示すように、本実施形態の横スライド回転シートは、シート１が設けられる台枠３と、床面Ｆに固定される脚台５とを有している。
脚台５には、脚台５の上面に設けられ、壁側から通路側に向かって延びるロアレール７と、ロアレール７に移動可能に係合したアッパレール９とからなる一対のスライド機構１１が並設されている。
【００１８】
スライド機構１１のアッパレール９上には、スライドプレート１３が設けられている。このスライドプレート１３上に台枠３がシャフト１５を中心に回転可能に設けられている。そして、台枠３が、壁側の第１位置，第１位置より通路側で、台枠３に設けられたシート１が壁に干渉せずに回転できる第２位置の間をスライド可能となるようにスライド機構１１は設けられている。尚、図１においてのスライドプレート１３は通路側の第２位置に位置し、この状態から左側に移動すると壁側の第１位置となる。
【００１９】
本実施形態では、第１位置と、第２位置とで、スライドプレート１３のスライドを禁止するスライドロック機構２１と、スライドプレート１３が、第１位置または第２位置に位置すると、台枠３の回転を禁止する回転ロック機構２３と、スライドプレート１３が第２位置に位置しないと、台枠３の回転を禁止する回転ストッパ機構２５とが設けられている。これら３つの機構をそれぞれ説明する。
（スライドロック機構２１）
図１、図２、図５を用いて説明する。図２、図５に示すように、脚台５には、脚台５に設けられた穴５ａに嵌合し、上下方向に移動可能なロックピン３１が設けられている。このロックピン３１の軸方向中間部には、脚台５の下面側の穴５ａの開口部周縁に当接可能なつば部３１ａが形成されている。また、ロックピン３１は、スプリング３３により、上方に付勢されている。このため、自然状態では、ロックピン３１のつば部３１ａが脚台５の下面に当接している。脚台５には、上下方向に回転するレバー３５が設けられている。このレバー３５は、ロックピン３１の下部に設けられた上下方向の長穴３１ｂに遊嵌するピン３５ａを有している。
【００２０】
また、図１に示すように、スライドプレート１３には、つば部３１ａが脚台５に当接した状態のロックピン３１が係合可能なスライドロック穴が設けられている。詳しく述べると、スライドプレート１３が第１位置に位置する際に、ロックピン３１が係合可能な第１スライドロック穴３７と、スライドプレート１３が第２位置に位置する際に、ロックピン３１が係合可能な第２スライドロック穴３９とが設けられている。
【００２１】
そして、図５に示すように、第２位置にあるスライドプレート１３の第２スライドロック穴３９にロックピン３１が係合している状態は、スライドプレート１３のスライドが禁止されている。ここで、実線位置にあるレバー３５をスプリング３３の付勢力に抗して押し下げると、ロックピン３１は下降し、ロックピン３１と第２スライドロック穴３９との係合が解除され、スライドプレート１３は、スライド可能となる。そして、スライドプレート１３を第１位置までスライドさせ、レバー３５を押し下げる操作力を解除すると、スプリング３３の付勢力により、ロックピン３１は上昇し、スライドプレート１３の第１スライドロック穴３７に係合し、再びスライドプレート１３のスライドが禁止される。
【００２２】
また、スライドプレート１３を第１位置から第２位置までスライドさせるときも、同様にレバー３５を操作することにより可能である。
（回転ロック機構２３）
図１−図４を用いて説明する。図２、図４に示すように、脚台５には、脚台５に設けられた穴５ｂに嵌合し、上下方向に移動可能なロックピン４１が設けられている。このロックピン４１の軸方向中間部には、脚台５の下面側の穴５ｂの開口部周縁に当接可能なつば部４１ａが形成されている。このロックピン４１は、スプリング４３により、上方に付勢されている。このため、自然状態では、ロックピン４１のつば部４１ａが脚台５の下面に当接している。脚台５には、上下方向に回転するレバー４５が設けられている。このレバー４５は、ロックピン４１の下部に設けられた上下方向の長穴４１ｂに遊嵌するピン４５ａを有している。
【００２３】
また、図１に示すように、スライドプレート１３には、スライドプレート１３のスライド方向に延び、ロックピン４１が挿通可能な長穴４７が形成されている。この長穴４７により、スライドプレート１３は、第１位置と第２位置との間の移動が可能となっている。
【００２４】
更に、図２に示すように、台枠３には、つば部４１ａが脚台５に当接した状態のロックピン４１が係合可能な回転ロック穴が設けられている。本実施形態例では、シートが車両進行方向に対して後向き姿勢の状態で、ロックピン４１が係合可能な第１回転ロック穴４９と、シートが車両進行方向に対して前向き姿勢の状態（図２に示す状態）で、ロックピン４１が係合可能な第２回転ロック穴５１とが設けられている。これら回転ロック穴４９、５１は、スライドプレート１３が第１位置と第２位置との間で移動可能となるように、スライドプレート１３のスライド方向に延びた長穴となっている。
【００２５】
そして、図４に示すように、シート１が通路側の第２位置にあり、シート１が車両進行方向に対して前向き姿勢の状態にある台枠３の第２回転ロック穴５１にロックピン４１が係合している状態（回転ロック状態）は、台枠（シート）３（１）の回転が禁止されている。ここで、実線位置にあるレバー４５をスプリング４３の付勢力に抗して押し下げると、ロックピン４１は下降し、ロックピン４１と第２回転ロック穴５１との係合が解除され、台枠３は、回転可能となる（回転ロック解除状態）。シート１を車両進行方向に対して後ろ向き姿勢の状態まで回転させ、レバー４５を押し下げる操作力を解除すると、スプリング４３の付勢力により、ロックピン４１は上昇し、台枠３の第１回転ロック穴４９に係合し、再び台枠（シート）３（１）の回転が禁止される（ロック状態）。
【００２６】
また、シート１が通路側の第２位置にあり、シート１が車両進行方向に対して後ろ向き姿勢の状態にある台枠３を回転させ、シート１を車両進行方向に対して前向きの姿勢にする場合も、同様に、レバー４５を操作することにより可能である。
【００２７】
尚、本実施の形態例では、図２、図４に示すように、回転ロック機構２３のロックピン４１の周面には、凹部４１ｃが形成されている。また、図１、図４に示すように、スライドプレート１３の長穴４７には、スライドプレート１３が第１位置に位置する時に、回転ロック機構２３のロックピン４１の凹部４１ｃに係合するストッパプレート５３が設けられている。よって、シート１が第１位置に位置している時には、ストッパプレート５３がロックピン４１の凹部４１ｃに係合し、ロックピン４１の上下方向の移動が禁止される。即ち、シート１が壁側の第１位置に位置する時には、シート１は壁と干渉し回転できないので、第１位置での回転ロック機構２のロック解除を禁止し、第１位置でのシート回転をできなくしている。
（回転ストッパ機構２５）
図１−図２に示すように、台枠３には、第１当接部としての第１ローラ６１と、第２当接部としての第２ローラ６３とが設けられている。脚台５には、スライドプレート１３のスライド方向に沿い、第１ローラ６１と、第２ローラ６３とが当接可能なストッパ面５ｃ、５ｄが形成されている。シート１が車両進行方向に対して前向きの姿勢である図１の状態では、第１ローラ６１、第２ローラ６３は、ストッパ面５ｃに当接可能であり、図１の状態からシート１が回転し、車両進行方向に対して後ろ向きの姿勢となると、第１ローラ６１、第２ローラ６３は、ストッパ面５ｄに当接可能となる。
【００２８】
そして、第１ローラ６１、第２ローラ６３は、スライドプレート１３が、第２位置以外の場所に位置すると、ストッパ面に当接し、スライドプレート１３が、第２位置に位置すると、第１ローラ６１、第２ローラ６３のうちどちらか一方のローラがストッパ面から外れるように設けられている。
【００２９】
即ち、図１に示すように、シート１が車両進行方向に対して前向きの姿勢で、スライドプレート１３が第２位置にある場合、実線で示すように第２ローラ６３がストッパ面５ｃから外れ、台枠３は回転可能である。この状態から、シート１を回転し、シート１が車両進行方向に対して後ろ向きの姿勢にすると、第２ローラ６３がストッパ面５ｄに当接し、第２ローラ６３はストッパ面５ｄからはずれる。尚、この状態から、シート１を車両進行方向に対して前向きの姿勢へ回転させることは可能である。
【００３０】
次に、シート１が車両進行方向に対して前向きの姿勢で、スライドプレート１３が第２位置以外の場所にスライドすると、第１ローラ６１、第２ローラ６３はストッパ面５ｃに当接し、台枠３の回転が禁止される。また、シート１が車両進行方向に対して後ろ向きの姿勢で、スライドプレート１３が第２位置以外の場所にスライドすると、第１ローラ６１、第２ローラ６３はストッパ面５ｄに当接し、台枠３の回転が禁止される。
【００３１】
このため、スライドプレート１３が第２位置に位置しないと、台枠３は回転できない。
このような構成によれば、スライドプレート１３が通路側の第２位置に位置しないと、台枠３の回転を禁止する回転ストッパ機構２５を設けたことにより、壁に干渉せずにシート１を回転させることができ、操作性がよい。
＜第２実施形態＞
図６−図１０を用いて説明する。図６は第２実施形態の横スライド回転シートのシートと台枠を取り除いた平面図、図７は図６の切断線Ｄ−Ｄでの断面図、図８は台枠の平面図、図９は図１の切断線Ｅ−Ｅでの断面図、図１０は図６の第２回転ストッパ機構を説明する図である。
【００３２】
尚、本実施形態は、通常は壁側に位置し、シートの回転は、壁側から通路側へ横スライドさせ、通路側で行なう横スライド回転シートである。
図６、図７、図８に示すように、本実施形態の横スライド回転シートは、シート１０１が設けられる台枠１０３と、床面Ｆに固定される脚台１０５とを有している。
【００３３】
脚台１０５には、脚台１０５の上面に設けられ、壁側から通路側に向かって延びるロアレール１０７と、ロアレール１０７に移動可能に係合したアッパレール１０９とからなる一対のスライド機構１１１が並設されている。
【００３４】
スライド機構１１１のアッパレール１０９上には、スライドプレート１１３が設けられている。スライドプレート１１３には穴１１３ａが形成されている。スライドプレート１１３の穴１１３ａに沿って、台枠１０３を回転可能に支持する円環状の回転板１１５が設けられている。そして、台枠１０３が、壁側の第１位置，第１位置より通路側で、台枠１０３に設けられたシート１０１が壁に干渉せずに回転できる第２位置の間をスライド可能となるようにスライド機構１１１は設けられている。尚、図６においてのスライドプレート１１３は壁側の第１位置に位置し、この状態から右側に移動すると通路側の第２位置となる。
【００３５】
本実施形態では、壁側の第１位置でスライドプレート１１３のスライドと回転とを禁止するスライド回転ロック機構１２１と、スライドプレート１１３が第２位置に位置しないと、台枠１０３の回転を禁止する第１回転ストッパ機構１２５、第２回転ストッパ機構１２７とが設けられている。これら３つの機構をそれぞれ説明する。
（スライド回転ロック機構１２１）
図６−図９を用いて説明する。図７、図９に示すように、脚台１０５には、脚台１０５に設けられた穴１０５ａに嵌合し、上下方向に移動可能なロックピン１３１が設けられている。このロックピン１３１の軸方向中間部には、脚台１０５の下面側の穴１０５ａの開口部周縁に当接可能なつば部１３１ａが形成されている。また、ロックピン１３１は、スプリング１３３により、上方に付勢されている。このため、自然状態では、ロックピン１３１のつば部１３１ａが脚台１０５の下面に当接している。脚台１０５には、上下方向に回転するレバー１３５が設けられている。このレバー１３５には、ロックピン１３１の下部に設けられた上下方向の長穴１３１ｂに遊嵌するピン１３５ａを有している。
【００３６】
また、図７−図９に示すように、台枠１０３には、つば部１３１ａが脚台１０５に当接した状態のロックピン１３１が係合可能なスライド回転ロック穴が設けられている。詳しく述べると、スライドプレート１１３が第１位置にあって、シート１０１が車両進行方向に対して前向き姿勢の際に、ロックピン１３１が係合可能な第１スライド回転ロック穴１３７と、スライドプレート１１３が第１位置にあって、シート１０１が車両進行方向に対して後ろ向き姿勢の際に、ロックピン１３１が係合可能な第２スライド回転ロック穴１３９とが設けられている。
【００３７】
そして、図７、図９に示すように、スライドプレート１１３が第１位置にあって、シート１０１が車両進行方向に対して前向き姿勢の際の台枠１０３の第１スライド回転ロック穴１３７にロックピン１３１が係合している状態は、スライドプレート１１３のスライドと、台枠１０３の回転とが禁止されている。ここで、図９に示すように、実線位置にあるレバー１３５をスプリング１３３の付勢力に抗して押し下げると、ロックピン１３１は下降し、ロックピン１３１と第１スライド回転ロック穴１３７との係合が解除され、スライドプレート１１３はスライド可能となり、台枠１０３は回転可能となる（スライド回転ロック解除状態）。
【００３８】
シート１０１を第２位置へスライドし、車両進行方向に対して後ろ向き姿勢の状態へ回転させ、レバー１３５を押し下げる操作力を解除すると、スプリング１３３の付勢力により、ロックピン１３１は上昇し、台枠１０３の第２スライドロック穴１３９に係合し、再びスライドプレート１１３のスライドは禁止され、台枠１０３の回転が禁止される（スライド回転ロック状態）。
（第１回転ストッパ機構１２５）
図６−図７に示すように、台枠１０３には、第１当接部としての第１ローラ１６１と、第２当接部としての第２ローラ１６３とが設けられている。脚台１０５には、スライドプレート１１３のスライド方向に沿い、第１ローラ１６１と、第２ローラ１６３とが当接可能なストッパ面１０５ｃ、１０５ｄが形成されている。シート１０１が車両進行方向に対して前向きの姿勢である図６の状態では、第１ローラ１６１、第２ローラ１６３は、ストッパ面１０５ｃに当接可能であり、図６の状態からシート１０１が回転し、車両進行方向に対して後ろ向きの姿勢となると、第１ローラ１６１、第２ローラ１６３は、ストッパ面１０５ｄに当接可能となる。
【００３９】
そして、第１ローラ１６１、第２ローラ１６３は、スライドプレート１１３が、第２位置以外の場所に位置すると、ストッパ面に当接し、スライドプレート１１３が、第２位置に位置すると、第１ローラ１６１、第２ローラ１６３のうちどちらか一方のローラがストッパ面から外れるように設けられている。
【００４０】
即ち、図６に示すように、シート１０１が車両進行方向に対して前向きの姿勢であり、スライドプレート１１３が、第２位置以外の場所に位置している場合、実線で示すように、第１ローラ１６１、第２ローラ１６３はストッパ面１０５ｃに当接し、台枠１０３の回転が禁止される。スライドプレート１１３が第１位置までスライドすると、二点鎖線で示すように第２ローラ１６３がストッパ面１０５ｃから外れ、台枠１０３は回転可能となる。
【００４１】
第２位置で、台枠１０３を回転し、シート１０１を車両進行方向に対して後ろ向きの姿勢とすると、第２ローラ１６３がストッパ面１０５ｄに当接し、第１ローラ１６１はストッパ面１０５ｄから外れた状態となる。尚、この状態から、シート１０１を車両進行方向に対して前向きの姿勢へ回転させることは可能である。
【００４２】
そして、スライドプレート１１３を第２位置以外の場所ヘスライドさせると、第１ローラ１６１、第２ローラ１６３はストッパ面１０５ｄに当接し、台枠１０３の回転が禁止される。
【００４３】
このため、スライドプレート１１３が通路側の第２位置に位置しないと、台枠１０３は回転できない。
（第２回転ストッパ機構１２７）
図６、図７、図９、図１０を用いて説明する。脚台１０５上には、短冊状の部材をＵ字形に成型した偏心ガイドプレート１７１が設けられている。この偏心ガイドプレート１７１は、図１０に示すように、第１平面部１７３と、第１平面部１７３と平行な第２平面部１７７と、第１平面部１７３の一方の端部と第２平面部１７７の一方の端部とを結ぶ半円筒面部１７５とからなっている。そして、図６に示すように、回転板１１５の回転中心Ｏを通り、スライドプレート１１３のスライド方向と平行な直線（切断線Ｅ−Ｅ）を挟んで線対称な位置に、第１平面部１７３と第２平面部１７７とが配置されている。
【００４４】
台枠１０３には、偏心ガイドプレート１７１の外面に当接可能なローラ１７９が設けられている。
そして、図１０に示すように、シート１０１が車両進行方向に対して前向きの姿勢になった状態で、スライドプレート１１３が、第２位置以外の場所に位置すると、実線で示すように、ローラ１７９は偏心ガイドプレート１７１の第１平面部１７３に当接し、台枠１０３の回転を禁止する。スライドプレート１１３が第２位置へスライドすると、二点鎖線で示すようにローラ１７９は第１平面部１７３と半円筒面部１７５との境界上に当接し、台枠１０３は回転可能となる。
【００４５】
第２位置で、台枠１０３を回転し、シート１０１を車両進行方向に対して後ろ向きの姿勢とすると、ローラ１７９は半円筒面部１７５上を転動し、第２平面部１７７と半円筒面部１７５との境界上に当接する。
【００４６】
そして、スライドプレート１１３を第２位置以外の場所ヘスライドさせると、ローラ１７９は第２平面部１７７に当接し、台枠１０３の回転を禁止する。
このため、スライドプレート１１３が通路側の第２位置に位置しないと、台枠１０３は回転できない。
【００４７】
このような構成によれば、スライドプレート１１３が通路側の第２位置に位置しないと、台枠１０３の回転を禁止する第１回転ストッパ機構１２５と、第２回転ストッパ機構１２７とを設けたことにより、壁に干渉せずにシート１０１を回転させることができ、操作性がよい。
【００４８】
尚、本発明は、上記実施形態例に限定するものではない。上記実施形態例では、第１回転ストッパ機構１２５と、第２回転ストッパ機構１２７とを設けたが、どちらか一方の回転ストッパ機構のみでもよい。
＜第３実施形態＞
図１１−図１４を用いて説明する。図１１は第３実施形態の横スライド回転シートのシートと台枠を取り除いた平面図、図１２は図１１の切断線Ｆ−Ｆでの断面図、図１３は台枠の平面図、図１４は図１の切断線Ｇ−Ｇでの断面図である。
【００４９】
尚、本実施形態は、通常は壁側に位置し、シートの回転は、壁側から通路側へ横スライドさせ、通路側で行なう横スライド回転シートである。
図１１、図１２、図１３に示すように、本実施形態の横スライド回転シートは、シート２０１が設けられる台枠２０３と、床面Ｆに固定される脚台２０５とを有している。
【００５０】
脚台２０５には、脚台２０５の上面に設けられ、壁側から通路側に向かって延びるロアレール２０７と、ロアレール２０７に移動可能に係合したアッパレール２０９とからなる一対のスライド機構２１１が並設されている。
【００５１】
スライド機構２１１のアッパレール２０９上には、スライドプレート２１３が設けられている。スライドプレート２１３には穴２１３ａが形成されている。スライドプレート２１３の穴２１３ａに沿って、台枠２０３を回転可能に支持する円環状の回転板２１５が設けられている。そして、台枠２０３が、壁側の第１位置，第１位置より通路側で、台枠２０３に設けられたシート２０１が壁に干渉せずに回転できる第２位置の間をスライド可能となるようにスライド機構２１１は設けられている。尚、図１１においてのスライドプレート２１３は壁側の第１位置に位置し、この状態から右側に移動すると通路側の第２位置となる。
【００５２】
本実施形態では、壁側の第１位置でスライドプレート２１３のスライドと回転とを禁止するスライド回転ロック機構２２１と、スライドプレート２１３が第２位置に位置しないと、台枠２０３の回転を禁止する第１回転ストッパ機構２２５、第２回転ストッパ機構２２７とが設けられている。これら３つの機構をそれぞれ説明する。
（スライド回転ロック機構２２１）
図１１−図１４を用いて説明する。図１２、図１４に示すように、脚台２０５には、脚台２０５に設けられた穴２０５ａ、脚台２０５上に設けられたブラケット２０４の穴２０４ａに嵌合し、上下方向に移動可能なロックピン２３１が設けられている。このロックピン２３１は、スライドプレート２１３が第２位置に位置する時の、台枠２０３の回転中心軸（図１３の点Ｏを通り、紙面に垂直な軸）と一致するように配置されている。ロックピン２３１の軸方向中間部には、ブラケット２０４の下面側の穴２０５ａの開口部周縁に当接可能なつば部２３１ａが形成されている。また、ロックピン２３１は、スプリング２３３により、上方に付勢されている。このため、自然状態では、ロックピン２３１のつば部２３１ａがブラケット２０４の下面に当接している。脚台２０５には、上下方向に回転するレバー２３５が設けられている。このレバー２３５の回転は、ピン２３４を用いて脚台２０５に回転可能に設けられ、レバー２３５に接続されたリンク２３６に伝達される。このリンク２３６には、ロックピン２３１の下部に設けられた上下方向の長穴２３１ｂに遊嵌するピン２３６ａを有している。
【００５３】
また、図１２−図１４に示すように、台枠２０３には、つば部２３１ａが脚台２０５上のブラケット２０４に当接した状態のロックピン２３１が係合可能なスライド回転ロック穴が設けられている。詳しく述べると、スライドプレート２１３が第１位置にあって、シート２０１が車両進行方向に対して前向き姿勢の際に、ロックピン２３１が係合可能な第１スライド回転ロック穴２３７と、スライドプレート２１３が第１位置にあって、シート２０１が車両進行方向に対して後ろ向き姿勢の際に、ロックピン２３１が係合可能な第２スライド回転ロック穴２３９とが設けられている。本実施の形態例では、図１３に示すように、第１スライド回転ロック穴２３７と第２スライド回転ロック穴２３９は、スライドプレート２１３が第２位置に位置する時の、台枠２０３の回転中心軸に対して線対称となる位置に設けられている。
【００５４】
そして、図１２、図１４に示すように、スライドプレート２１３が第１位置にあって、シート２０１が車両進行方向に対して前向き姿勢の際の台枠２０３の第１スライド回転ロック穴２３７にロックピン２３１が係合している状態は、スライドプレート２１３のスライドと、台枠２０３の回転とが禁止されている。ここで、図１４に示すように、実線位置にあるレバー２３５をスプリング２３３の付勢力に抗して押し下げると、ロックピン２３１は下降し、ロックピン２３１と第１スライド回転ロック穴２３７との係合が解除され、スライドプレート２１３はスライド可能となり、台枠２０３は回転可能となる（スライド回転ロック解除状態）。
【００５５】
ここで、シート２０１を第２位置へスライドし、車両進行方向に対して後ろ向き姿勢の状態へ回転させ、レバー２３５を押し下げる操作力を解除すると、スプリング２３３の付勢力により、ロックピン２３１は上昇し、台枠２０３の第２スライド回転ロック穴２３９に係合し、再びスライドプレート２１３のスライドは禁止され、台枠２０３の回転が禁止される（スライド回転ロック状態）。
（第１回転ストッパ機構２２５）
図１１−図１２に示すように、台枠２０３には、第１当接部としての第１ローラ２６１と、第２当接部としての第２ローラ２６３とが設けられている。脚台２０５には、スライドプレート２１３のスライド方向に沿い、第１ローラ２６１と、第２ローラ２６３とが当接可能なストッパ面２０５ｃ、２０５ｄが形成されている。シート２０１が車両進行方向に対して前向きの姿勢である図１１の状態では、第１ローラ２６１、第２ローラ２６３は、ストッパ面２０５ｃに当接可能であり、図１１の状態からシート２０１が回転し、車両進行方向に対して後ろ向きの姿勢となると、第１ローラ２６１、第２ローラ２６３は、ストッパ面２０５ｄに当接可能となる。
【００５６】
そして、第１ローラ２６１、第２ローラ２６３は、スライドプレート２１３が、第２位置以外の場所に位置すると、ストッパ面に当接し、スライドプレート２１３が、第２位置に位置すると、第１ローラ２６１、第２ローラ２６３のうちどちらか一方のローラがストッパ面から外れるように設けられている。
【００５７】
即ち、図１１に示すように、シート２０１が車両進行方向に対して前向きの姿勢であり、スライドプレート２１３が、第２位置以外の場所に位置している場合、実線で示すように、第１ローラ２６１、第２ローラ２６３はストッパ面２０５ｃに当接し、台枠２０３の回転が禁止される。スライドプレート２１３が第１位置までスライドすると、二点鎖線で示すように第２ローラ２６３がストッパ面２０５ｃから外れ、台枠２０３は回転可能となる。
【００５８】
第２位置で、台枠２０３を回転し、シート２０１を車両進行方向に対して後ろ向きの姿勢とすると、第２ローラ２６３がストッパ面２０５ｄに当接し、第１ローラ２６１はストッパ面２０５ｄから外れた状態となる。尚、この状態から、シート２０１を車両進行方向に対して前向きの姿勢へ回転させることは可能である。
【００５９】
そして、スライドプレート２１３を第２位置以外の場所ヘスライドさせると、第１ローラ２６１、第２ローラ２６３はストッパ面２０５ｄに当接し、台枠２０３の回転が禁止される。
【００６０】
このため、スライドプレート２１３が通路側の第２位置に位置しないと、台枠２０３は回転できない。
（第２回転ストッパ機構２２７）
図１２−図１４を用いて説明する。台枠２０３の下面には、同形状の２枚の偏心ガイドプレート２７１、２７３が設けられている。これらの偏心ガイドプレート２７１、２７３は、図１３に示すように、第１スライド回転ロック穴２３７、第２スライド回転ロック穴２３９の中心を結ぶ直線と平行で、第１スライド回転ロック穴２３７、第２スライド回転ロック穴２３９を挟むように設けられている。よって、偏心ガイドプレート２７１、２７３は、ロックピン２３１を挟むように設けられている。また、スライドプレート２１３が第２位置に位置すると、ロックピン２３１は、偏心ガイドプレート２７１、２７３の長手方向の中心に位置するように、２枚の偏心ガイドプレート２７１、２７３は配置されている。従って、スライドプレート２１３が通路側の第２位置に位置しないと、台枠２０３は回転できないことなる。
【００６１】
このような構成によれば、スライドプレート２１３が通路側の第２位置に位置しないと、台枠２０３の回転を禁止する第１回転ストッパ機構２２５と、第２回転ストッパ機構２２７とを設けたことにより、壁に干渉せずにシート２０１を回転させることができ、操作性がよい。
【００６２】
尚、本発明は、上記実施形態例に限定するものではない。上記実施形態例では、第１回転ストッパ機構２２５と、第２回転ストッパ機構２２７とを設けたが、どちらか一方の回転ストッパ機構のみでもよい。
【符号の説明】
【００６３】
５  脚台
１３  スライドプレート
２５  回転ストッパ機構
【図１】
0005491218.tif 000002
【図２】
0005491218.tif 000003
【図３】
0005491218.tif 000004
【図４】
0005491218.tif 000005
【図５】
0005491218.tif 000006
【図６】
0005491218.tif 000007
【図７】
0005491218.tif 000008
【図８】
0005491218.tif 000009
【図９】
0005491218.tif 000010
【図１０】
0005491218.tif 000011
【図１１】
0005491218.tif 000012
【図１２】
0005491218.tif 000013
【図１３】
0005491218.tif 000014
【図１４】
0005491218.tif 000015